(57)【要約】  本発明に係る蓄熱熱交加熱装置１００は、加熱された熱媒体を貯える蓄熱槽３と、前記蓄熱槽３の高温側と低温側に接続され、前記熱媒体が循環する循環流路４と、前記循環流路４に設けられ、前記熱媒体と加熱対象との間で熱交換して該加熱対象を加熱する熱交換器５と、前記循環流路４における前記熱媒体の循環を、前記蓄熱槽３の高温側から前記蓄熱槽３の低温側への正流方向と前記蓄熱槽３の低温側から前記蓄熱槽３の高温側への逆流方向とに切り替える循環方向切替手段１７と、前記加熱対象の加熱運転をする際、前記循環方向切替手段１７を前記正流方向に設定した状態で前記熱媒体を循環させ、前記加熱対象の加熱運転を停止した後に、前記循環方向切替手段１７を前記逆流方向に設定した状態で前記熱媒体を循環させる制御手段３０と、を備えたものである。
2013186822.tif 000002
【特許請求の範囲】
【請求項１】
加熱された熱媒体を貯える蓄熱槽と、
前記蓄熱槽の高温側と低温側に接続され、前記熱媒体が循環する循環流路と、
前記循環流路に設けられ、前記熱媒体と加熱対象との間で熱交換して該加熱対象を加熱する熱交換器と、
前記循環流路における前記熱媒体の循環を、前記蓄熱槽の高温側から前記蓄熱槽の低温側への正流方向と前記蓄熱槽の低温側から前記蓄熱槽の高温側への逆流方向とに切り替える循環方向切替手段と、
前記加熱対象の加熱運転をする際、前記循環方向切替手段を前記正流方向に設定した状態で前記熱媒体を循環させ、前記加熱対象の加熱運転を停止した後に、前記循環方向切替手段を前記逆流方向に設定した状態で前記熱媒体を循環させる制御手段と、
を備えた蓄熱熱交加熱装置。
【請求項２】
前記制御手段は、前記加熱対象の加熱運転を停止した直後から第１所定時間を経た後に、前記循環方向切替手段を前記逆流方向に設定した状態で前記熱媒体を循環させる、
請求項１に記載の蓄熱熱交加熱装置。
【請求項３】
前記制御手段は、前記加熱対象の加熱運転を停止した直後に、前記循環方向切替手段を前記逆流方向に設定した状態で前記熱媒体を循環させる、
請求項１に記載の蓄熱熱交加熱装置。
【請求項４】
前記制御手段は、前記循環流路の第１所定温度より高い前記熱媒体のみを前記蓄熱槽へ戻すのに必要な第２所定時間又は所定総流量だけ、前記循環方向切替手段を前記逆流方向に設定した状態で前記熱媒体を循環させる、
請求項１乃至３のいずれか一項に記載の蓄熱熱交加熱装置。
【請求項５】
前記第１所定温度は、前記加熱対象の加熱運転をする際に、前記循環流路と前記蓄熱槽の低温側が接続する領域にある前記熱媒体の温度である、
請求項４に記載の蓄熱熱交加熱装置。
【請求項６】
前記制御手段は、前記循環流路の所定位置における前記熱媒体の温度が第２所定温度より低くなるまで、前記循環方向切替手段を前記逆流方向に設定した状態で前記熱媒体を循環させる、
請求項１乃至５のいずれか一項に記載の蓄熱熱交加熱装置。
【請求項７】
前記第２所定温度は、前記加熱対象の加熱運転をする際に、前記循環流路と前記蓄熱槽の低温側が接続する領域にある前記熱媒体の温度である、
請求項６に記載の蓄熱熱交加熱装置。
【請求項８】
前記所定位置は、前記循環流路と前記蓄熱槽の高温側が接続する領域にある、
請求項６又は７に記載の蓄熱熱交加熱装置。
【請求項９】
前記循環方向切替手段は、前記循環流路に設けられたポンプであり、前記正流方向と前記逆流方向とで前記ポンプの回転方向を変える、
請求項１乃至８のいずれか一項に記載の蓄熱熱交加熱装置。
【請求項１０】
前記循環方向切替手段は、前記循環流路に設けられた弁であり、前記正流方向と前記逆流方向とで前記弁の開方向を変える、
請求項１乃至８のいずれか一項に記載の蓄熱熱交加熱装置。
【発明の詳細な説明】
【技術分野】
【０００１】
本発明は、蓄熱槽から供給された熱媒体を加熱対象と熱交換させることで加熱対象を加熱する蓄熱熱交加熱装置に関するものである。
【背景技術】
【０００２】
従来の蓄熱熱交加熱装置として、ヒートポンプによって加熱された熱媒体を蓄熱槽の上部から下部へ熱交換器を経由して循環させ、その熱媒体を加熱対象と熱交換器で熱交換させ、その熱交換で加熱された加熱対象を混合栓を介して供給する蓄熱熱交加熱装置がある（例えば、特許文献１参照。）。
【先行技術文献】
【特許文献】
【０００３】
【特許文献１】特開２００９−２５０５４２号公報（段落［００２２］−［００２４］、図２）
【発明の概要】
【発明が解決しようとする課題】
【０００４】
従来の蓄熱熱交加熱装置では、加熱対象の加熱を停止した際に、循環流路内や熱交換器内に高温の熱媒体が滞留する。
そのため、再び加熱が開始されるまでの時間間隔が長いと、滞留した熱媒体が放熱し、エネルギーを浪費してしまうという問題点があった。
また、熱交換器内に滞留した熱媒体によって熱交換器内の加熱対象が過熱されることで、熱交換器内でスケールの生成が進行し、加熱対象の圧力損失の増大や詰まりが発生して、熱交換器の性能低下や短寿命化を招くという問題点があった。【０００５】
本発明は、上記のような課題を解決するためになされたもので、加熱を停止した後の熱媒体の放熱を抑制して省エネ性能を向上した蓄熱熱交加熱装置を得るものである。
また、本発明は、加熱を停止した後の加熱対象の過熱を抑制して、スケールの生成の進行に伴う熱交換器の性能低下や短寿命化を抑制した蓄熱熱交加熱装置を得るものである。
【課題を解決するための手段】
【０００６】
本発明に係る蓄熱熱交加熱装置は、加熱された熱媒体を貯える蓄熱槽と、前記蓄熱槽の高温側と低温側に接続され、前記熱媒体が循環する循環流路と、前記循環流路に設けられ、前記熱媒体と加熱対象との間で熱交換して該加熱対象を加熱する熱交換器と、前記循環流路における前記熱媒体の循環を、前記蓄熱槽の高温側から前記蓄熱槽の低温側への正流方向と前記蓄熱槽の低温側から前記蓄熱槽の高温側への逆流方向とに切り替える循環方向切替手段と、前記加熱対象の加熱運転をする際、前記循環方向切替手段を前記正流方向に設定した状態で前記熱媒体を循環させ、前記加熱対象の加熱運転を停止した後に、前記循環方向切替手段を前記逆流方向に設定した状態で前記熱媒体を循環させる制御手段と、を備えたものである。
【発明の効果】
【０００７】
本発明は、加熱対象の加熱運転を停止した後に、循環方向切替手段を逆流方向に設定した状態で熱媒体を循環させる制御手段を備えることで、循環流路内や熱交換器内に高温の熱媒体が滞留して放熱することを抑制することができ、省エネ性能を向上することができる。
また、本発明は、加熱対象の加熱運転を停止した後に、循環方向切替手段を逆流方向に設定した状態で熱媒体を循環させる制御手段を備えることで、熱交換器内に滞留した熱媒体によって熱交換器内の加熱対象が過熱することを抑制することができ、スケールの生成の進行に伴う熱交換器の性能低下や短寿命化を抑制することができる。
【図面の簡単な説明】
【０００８】
【図１】本発明の実施の形態１に係る蓄熱熱交加熱装置の構成を示す図である。
【図２】本発明の実施の形態１に係る蓄熱熱交加熱装置のタイムチャートを示す図である。
【図３】本発明の実施の形態１に係る蓄熱熱交加熱装置のタイムチャートを示す図である。
【図４】本発明の実施の形態１に係る蓄熱熱交加熱装置のタイムチャートを示す図である。
【図５】本発明の実施の形態２に係る蓄熱熱交加熱装置の構成を示す図である。
【図６】本発明の実施の形態３に係る蓄熱熱交加熱装置の構成を示す図である。
【図７】本発明の実施の形態３に係る蓄熱熱交加熱装置のタイムチャートを示す図である。
【図８】本発明の実施の形態３に係る蓄熱熱交加熱装置のタイムチャートを示す図である。
【発明を実施するための形態】
【０００９】
以下、本発明に係る蓄熱熱交加熱装置について、図面を用いて説明する。
なお、実施の形態１及び実施の形態２では、蓄熱熱交加熱装置が給湯に用いられる場合を説明しているが、蓄熱熱交加熱装置は、他の用途に用いられてもよい。
また、実施の形態３では、蓄熱熱交加熱装置が追焚に用いられる場合を説明しているが、蓄熱熱交加熱装置は、他の用途に用いられてもよい。
各図において、同一部材又は同一部分には同一の符号を付している。
細かい構造については、適宜図示を省略している。
重複する説明については、適宜簡略化又は省略している。
【００１０】
実施の形態１．
以下に、実施の形態１に係る蓄熱熱交加熱装置について、説明する。
（装置構成）
まず、実施の形態１に係る蓄熱熱交加熱装置の構成について、図１を用いて説明する。
図１は、実施の形態１に係る蓄熱熱交加熱装置の構成を示す図である。
蓄熱熱交加熱装置１００は、ヒートポンプ１と、蓄熱用循環流路２と、蓄熱槽３と、加熱用循環流路４と、加熱用熱交換器５と、給湯用流路６と、を有する。
【００１１】
ヒートポンプ１は、ヒートポンプ用熱媒体が循環するヒートポンプ用循環流路７と、圧縮機８と、ヒートポンプ用熱交換器９と、膨張弁１０と、外気熱交１１と、ファン１２と、を有する。
ヒートポンプ用熱媒体は、例えば、炭化水素系や二酸化炭素等であり、使用温度圧力範囲内で気液二相化されることが可能である。
【００１２】
ヒートポンプ用熱交換器９は、蓄熱用循環流路２に接続される。
蓄熱用循環流路２では、蓄熱用熱媒体が循環する。
蓄熱用熱媒体は、例えば、グリセリン等を混ぜた水等であり、低温でも凝固しない不凍液である（なお、蓄熱用熱媒体は、本発明における「熱媒体」に相当する。）。
蓄熱用循環流路２には、蓄熱用熱媒体を循環させる蓄熱用ポンプ１３と、蓄熱用循環流路２の往路２ａの途中と復路２ｂの途中を接続するバイパス流路１４と、蓄熱用熱媒体をバイパス流路１４に流すか蓄熱槽３に流すかを切り替える切替弁１５と、ヒートポンプ用熱交換器９と切替弁１５の間の蓄熱用熱媒体の温度を検知する温度センサ１６と、が設けられる。
切替弁１５は、蓄熱用循環流路２の往路２ａの途中のバイパス流路１４との分岐部に設けられる。
【００１３】
蓄熱用循環流路２は、蓄熱槽３の上部（本発明における「高温側」に相当する。）に接続される。
蓄熱槽３には、蓄熱用熱媒体が貯えられる。
蓄熱槽３の下部（本発明における「低温側」に相当する。）は、蓄熱用循環流路２に接続される。
【００１４】
蓄熱槽３の上部は、加熱用循環流路４に接続される。
加熱用循環流路４では、蓄熱用熱媒体が循環する。
加熱用循環流路４には、蓄熱用熱媒体を循環させる加熱用ポンプ１７と、蓄熱槽３の上部と加熱用熱交換器５の間の蓄熱用熱媒体の温度を検知する温度センサ１８と、が設けられる。
加熱用循環流路４は、蓄熱槽３の下部に接続される。
【００１５】
加熱用ポンプ１７は、回転方向を逆転可能な双方向回転ポンプであり、制御部３０に接続される（なお、他の部品も必要に応じて同様に制御部３０に接続される。また、制御部３０は、本発明における「制御手段」に相当する。）。
加熱用ポンプ１７は、加熱用循環流路４における蓄熱用熱媒体の循環方向を、蓄熱槽３の上部から蓄熱槽３の下部へ向かう方向と蓄熱槽３の下部から蓄熱槽３の上部へ向かう方向とに切り替える循環方向切替手段として機能する（なお、蓄熱槽３の上部から蓄熱槽３の下部へ向かう方向の循環を正流方向の循環といい、蓄熱槽３の下部から蓄熱槽３の上部へ向かう方向の循環を逆流方向の循環という。）。
【００１６】
加熱用熱交換器５は、加熱用循環流路４と給湯用流路６とに接続される。
給湯用流路６には、給湯水が供給される（なお、給湯水は、本発明における「加熱対象」に相当する。）。
給湯用流路６には、給水源１９と加熱用熱交換器５の間の給湯水の流動の有無を検知する流動センサ２０と、加熱用熱交換器５と給湯先２１の間の給湯水の温度を検知する温度センサ２２と、が設けられる。
流動センサ２０は、給湯水の流動の有無で接点がｏｎ／ｏｆｆされるセンサである。
【００１７】
次に、実施の形態１に係る蓄熱熱交加熱装置の動作について説明する。
（全体動作）
以下に、実施の形態１に係る蓄熱熱交加熱装置における全体動作を説明する。
ヒートポンプ１は、熱源であり、加熱されたヒートポンプ用熱媒体をヒートポンプ用熱交換器９に供給する。
蓄熱用ポンプ１３は、蓄熱槽３の下部から蓄熱用熱媒体を蓄熱用循環流路２に供給し、蓄熱用循環流路２に供給された蓄熱用熱媒体をヒートポンプ用熱交換器９に供給する。
ヒートポンプ用熱交換器９における熱交換で加熱された蓄熱用熱媒体は、蓄熱槽３の上部に供給され、蓄熱槽３は、加熱された蓄熱用熱媒体を所定量貯える、つまり、ヒートポンプ１で発生した熱を貯える。
加熱用ポンプ１７は、蓄熱槽３の上部から蓄熱用熱媒体を加熱用循環流路４に供給し、加熱用循環流路４に供給された蓄熱用熱媒体を加熱用熱交換器５に供給する。
給湯水が、給水源１９から給湯用流路６に供給され、加熱用熱交換器５に供給される。
加熱用熱交換器５における熱交換で加熱された給湯水は、給湯先２１から出湯される。
【００１８】
（ヒートポンプの動作）
以下に、実施の形態１に係る蓄熱熱交加熱装置におけるヒートポンプの動作を説明する。
ヒートポンプ用循環流路７では、ヒートポンプ用熱媒体が循環する。
圧縮機８は、気相化されたヒートポンプ用熱媒体を圧縮して高温高圧化する。
ヒートポンプ用熱交換器９は、高温高圧化されたヒートポンプ用熱媒体と蓄熱用熱媒体とを熱交換し、ヒートポンプ用熱媒体を冷却して液相化するとともに蓄熱用熱媒体を加熱する。
膨張弁１０は、液相化されたヒートポンプ用熱媒体を膨張させて気液混合相化して低温低圧化する。
外気熱交１１は、低温低圧化されたヒートポンプ用熱媒体とファン１２から送風された外気とを熱交換して、ヒートポンプ用熱媒体を加熱して気相化する。
このように蓄熱熱交加熱装置１００は、熱源としてヒートポンプ１を採用し、外気から吸熱した熱をヒートポンプ用熱媒体の凝縮と気化とを利用して蓄熱用熱媒体に放熱するものであるため、主に圧縮機８における圧縮に要する動力だけで効率良く外気と蓄熱用熱媒体との間で熱を移動することができる。
【００１９】
（蓄熱動作）
以下に、実施の形態１に係る蓄熱熱交加熱装置における蓄熱動作を説明する。
ヒートポンプ用熱交換器９で加熱された蓄熱用熱媒体は、蓄熱用循環流路２の往路２ａを通って蓄熱槽３の上部に供給される。
それに伴って、蓄熱槽３の下部から蓄熱用循環流路２の復路２ｂを通って低温の蓄熱用熱媒体がヒートポンプ用熱交換器９に供給される。
これが繰り返されて、低温の蓄熱用熱媒体が高温の蓄熱用熱媒体に蓄熱槽３の上部から下部に向かって徐々に置き換えられ、ヒートポンプ１で発生した熱が蓄熱槽３に貯えられる（なお、この蓄熱方法を温度成層蓄熱という。）。
【００２０】
切替弁１５は、蓄熱開始直後等、蓄熱用熱媒体が蓄熱機能を発揮できる温度に加熱されていない時は、蓄熱用熱媒体をバイパス流路１４に供給し、蓄熱用熱媒体がヒートポンプ用熱交換器９で再度加熱されるようにする。
また、切替弁１５は、蓄熱用熱媒体が蓄熱機能を発揮できる温度に加熱されている時は、蓄熱用熱媒体を蓄熱槽３の上部に供給する。
このような構成により、蓄熱槽３の温度成層蓄熱がより効率化される。
なお、蓄熱熱交加熱装置１００は、切替弁１５としての３方弁を、往路２ａからバイパス路１４への分岐部に有しているが、復路２ｂとバイパス路１４との合流部に有してもよい。
そのような場合には、使用環境が低温となり、切替弁の寿命が向上し、また、切替弁からの放熱が減少する。
また、蓄熱熱交加熱装置１００は、切替弁１５として、３方弁を有しているが、切り替えられる流路毎に２方弁を有してもよい。
そのような場合には、流路を切り替える態様の選択肢が増加する。
【００２１】
次に、蓄熱動作における温度制御について説明する。
温度センサ１６で検知された蓄熱用熱媒体の温度が所定の温度（例えば、６３℃。）に維持されるように、蓄熱用ポンプ１３の回転数が変化されて、蓄熱用循環流路２を循環する蓄熱用熱媒体の流量が制御される。
また、ヒートポンプ１において外気から蓄熱用熱媒体へ移動する熱量が、外気やヒートポンプ用熱交換器９における蓄熱用熱媒体の温度条件で許容される熱量（最短時間で蓄熱する場合は、最大熱量。）になるように、且つ、ヒートポンプ用循環流路７の各部におけるヒートポンプ用熱媒体の温度や圧力に応じて、圧縮機８の回転数（周波数）や膨張弁１０の開度が制御される。
【００２２】
（加熱動作）
次に、実施の形態１に係る蓄熱熱交加熱装置における加熱動作を説明する。
給湯状態では、蓄熱槽３の上部から加熱用循環流路４の往路４ａを通って蓄熱用熱媒体が加熱用熱交換器５に供給される。
それに伴って、加熱用熱交換器５から加熱用循環流路４の復路４ｂを通って蓄熱槽３の下部に蓄熱用熱媒体が供給される。
また、給湯状態では、加熱用熱交換器５において、加熱用循環流路４の蓄熱用熱媒体と給湯用流路６の給湯水とが熱交換される。
この時、加熱用熱交換器５から給湯先２１へ出湯される給湯水と同量の給湯水が給水源１９から加熱用熱交換器５に供給される。
給湯水が加熱用熱交換器５に供給されるための動力源は、給水源１９と給湯先２１における給湯水の圧力差である。
【００２３】
給湯状態にあるか否かが、流動センサ２０によって給湯水の流動の有無が検知されて判別される。
流動が検知された場合には、給湯のための加熱動作が実行され、流動が検知されない場合には、給湯のための加熱動作が実行されない。
ここでいう加熱動作は、加熱用ポンプ１７の運転と同義である。
つまり、加熱動作を行う時は、加熱用ポンプ１７が駆動され、加熱動作を行わない時は、加熱用ポンプ１７が駆動されない。
【００２４】
加熱用ポンプ１７が正回転方向に駆動されることで、蓄熱用熱媒体（例えば、６３℃。）が正流方向に循環し、蓄熱槽３の上部から加熱用循環流路４の往路４ａを通って加熱用熱交換器５に供給される。
給水源１９から加熱用熱交換器５に給湯水（例えば、２０℃。）が供給される。
蓄熱用熱媒体と熱交換して加熱された給湯水（例えば、４０℃。）は、給湯先２１へ出湯される。
加熱用熱交換器５を経由した蓄熱用熱媒体は、給湯水と熱交換して低温となり、加熱用循環流路４の復路４ｂを通って蓄熱槽３の下部へ戻る。
【００２５】
次に、加熱動作における温度制御について説明する。
仮に、温度条件が上記のような温度条件（蓄熱用熱媒体の温度が６３℃、加熱用熱交換器５を経由する前の給湯水の温度が２０℃、加熱用熱交換器５を経由した後の給湯水の温度が４０℃。）で、給湯水の流量が蓄熱用熱媒体の流量の１．５倍で、放熱が無視でき、加熱用熱交換器５から蓄熱槽３の下部へ戻る蓄熱用熱媒体の温度が３３℃になるような熱交換性能を加熱用熱交換器５が有しているとする（なお、蓄熱槽３の下部へ戻る蓄熱用熱媒体の温度は、給湯水の流量や温度、加熱用循環流路４の蓄熱用熱媒体の流量や温度、加熱用熱交換器５の熱交換性能や放熱性能に依存する。）。
このような状態で、給湯先２１で要求される給湯水の温度（例えば、４０℃。）が一定で、給湯水の流量が半分になった場合には、仮に加熱用熱交換器５の性能を一定に維持できるとすると、蓄熱用熱媒体の流量は上記の半分、つまり、半減した給湯水の流量の１．５倍でよくなる（なお、一般に、流量が減ると熱交換器の熱交換量が減り、熱交換器の単位流量当たりの熱交換効率が下がる一方で熱交換面積は変化しないため、熱交換器の熱交換性能が向上する傾向にある。）。
【００２６】
これは、給湯水の流量が変化した際に、制御部３０が加熱用循環流路４における蓄熱用熱媒体の流量を変化すれば、給湯先２１へ出湯される給湯水の温度を一定に維持することが可能であることを意味している。
蓄熱熱交加熱装置１００は、これを利用し、制御部３０は、加熱用ポンプ１７の回転数、つまり加熱用循環流路４における蓄熱用熱媒体の流量を変化させて、温度センサ２２で検知される給湯水の温度が所望の温度になるように制御する。
また、制御部３０は、流量の変化によって熱交換器の熱交換性能が変化する場合、例えば、上記例において、給湯水の流量が半減した際に熱交換器の熱交換性能が１．２倍に向上しても、加熱用循環流路４における蓄熱用熱媒体の流量を変化させることで、温度センサ２２で検知される給湯水の温度を所望の温度（４０℃）になるように制御することができる。
この場合、加熱用循環流路４の復路４ｂにおける蓄熱用熱媒体の温度は２７℃となる。
【００２７】
（循環方向切替動作）
次に、実施の形態１に係る蓄熱熱交加熱装置における循環方向切替動作について説明する。
蓄熱熱交加熱装置１００は、加熱用ポンプ１７に回転方向を逆転可能な双方向回転ポンプを採用しているため、加熱用循環流路４の蓄熱用熱媒体を、正流方向と逆流方向とに循環させることが可能である。
加熱用ポンプ１７は、給湯水を加熱する際は、蓄熱用熱媒体を正流方向に循環させる。
加熱用ポンプ１７は、給湯水の加熱を停止した際は、蓄熱用熱媒体を逆流方向に循環させて、加熱用循環流路４や加熱用熱交換器５に滞留している高温の蓄熱用媒体を蓄熱槽３に戻す。
制御部３０は、逆流方向の循環を予め設定された時間（なお、この時間を逆流待機時間という。また、逆流待機時間は、本発明における「第１所定時間」に相当する。）が経過した後に開始する。
制御部３０は、逆流方向の循環を予め設定された時間（なお、この時間を逆流実行時間という。また、逆流実行時間は、本発明における「第２所定時間」に相当する。）だけ実行する。
制御部３０は、逆流方向の循環を開始した後に、温度センサ１８で検知される蓄熱用熱媒体の温度が予め設定された設定下限温度（例えば、６０℃。）を下回った際は、逆流方向の循環を開始した後の経過時間が逆流実行時間を経過していない場合でも、逆流方向の循環を停止する（なお、設定下限温度は、本発明における「第２所定温度」に相当する。）。
【００２８】
逆流待機時間は、蓄熱用熱媒体の放熱が大きくならない時間が予め測定により求められて設定される。
【００２９】
逆流実行時間は、温度センサ１８で検知される蓄熱用熱媒体の温度が大きく低下し始める前までの時間、つまり、給湯水を加熱する際に、加熱用循環流路４の復路４ｂと蓄熱槽３の下部とが接続する領域にある蓄熱用熱媒体の温度に達する前までの時間が予め測定により求められて設定される（なお、給湯水を加熱する際に、加熱用循環流路４の復路４ｂと蓄熱槽３の下部とが接続する領域にある蓄熱用熱媒体の温度は、本発明における「第１所定温度」に相当する。）。
逆流実行時間は、加熱用循環流路４の往路４ａと加熱用熱交換器５とが接続する領域にある蓄熱用熱媒体の温度等、他の温度に達する前までの時間に設定されてもよい。
逆流実行時間が、蓄熱用熱媒体の温度が大きく低下し始める前までの時間に設定される場合は、加熱用循環流路４に滞留する全ての蓄熱用熱媒体を蓄熱槽３に戻すことができ、加熱動作を停止した後の放熱や過熱をより抑制することが可能となる。
【００３０】
設定下限温度は、給湯水を加熱する際に、加熱用循環流路４の復路４ｂと蓄熱槽３の下部とが接続する領域にある蓄熱用熱媒体の温度に設定されるとよい。
なお、設定下限温度は、給湯水を加熱する際に、加熱用循環流路４の往路４ａと加熱用熱交換器５とが接続する領域にある蓄熱用熱媒体の温度等、他の温度に設定されてもよい。
設定下限温度が、給湯水を加熱する際に、加熱用循環流路４の復路４ｂと蓄熱槽３の下部とが接続する領域にある蓄熱用熱媒体の温度に設定される場合は、加熱用循環流路４に滞留する高温の蓄熱用熱媒体の全てが温度センサ１８の設けられた位置より蓄熱槽３側に戻ったか否かを判別できる（なお、温度センサ１８の設けられた位置は、本発明における「所定位置」に相当する。）。
【００３１】
温度センサ１８は、加熱用循環流路４の往路４ａと蓄熱槽３の上部とが接続する領域に設けられればよく、蓄熱槽３の上部に設けられてもよい。
そのように構成することで、加熱用循環流路４に滞留する設定下限温度以上の蓄熱用熱媒体の全てが蓄熱槽３に戻ったか否かを判別できる。
なお、温度センサ１８と蓄熱槽３の上部の間の加熱用循環流路４における放熱と加熱用熱交換器５における過熱を抑制する必要がない場合には、温度センサ１８は、加熱用循環流路４の復路４ｂに設けられてもよい。
【００３２】
加熱用循環流路４の全てにおける放熱と加熱用熱交換器５における過熱を抑制する必要がある場合には、設定下限温度が、給湯水を加熱する際に、加熱用循環流路４の復路４ｂと蓄熱槽３の下部とが接続する領域にある蓄熱用熱媒体の温度に設定され、温度センサ１８が、加熱用循環流路４の往路４ａと蓄熱槽３の上部とが接続する領域に設けられるとよい。
【００３３】
まず、図２を用いて、加熱動作を停止した後の次の加熱動作が逆流待機時間と逆流実行時間を経過した後に開始される場合における循環方向切替動作を説明する。
図２は、実施の形態１に係る蓄熱熱交加熱装置のタイムチャートを示す図である。
制御部３０は、流動センサ２０が給湯水の流動が有ること、つまり給湯状態にあることを検知すると、加熱用ポンプ１７を正回転方向に駆動して、蓄熱用熱媒体を正流方向へ循環させる。
制御部３０は、流動センサ２０が給湯水の流動が有ること、つまり給湯状態にあることを検知しなくなると、加熱用ポンプ１７の駆動を即座に停止して、蓄熱用熱媒体の正流方向の循環を停止する。
制御部３０は、蓄熱用熱媒体の正流方向の循環を停止した後、逆流待機時間（例えば、３０秒。）だけ加熱用ポンプ１７の駆動を停止状態に維持する。
制御部３０は、蓄熱用熱媒体の正流方向の循環を停止した後の経過時間が逆流待機時間を経過すると、加熱用ポンプ１７を逆回転方向に駆動して、蓄熱用熱媒体を逆流方向へ循環させる。
制御部３０は、蓄熱用熱媒体の正流方向の循環を停止した後の経過時間の記録をリセットする。
制御部３０は、蓄熱用熱媒体の逆流方向の循環を開始した後、逆流実行時間（例えば、１０秒。）だけ逆流方向の循環を継続する。
制御部３０は、蓄熱用熱媒体の逆流方向の循環を開始した後の経過時間が逆流実行時間を経過すると、加熱用ポンプ１７の駆動を停止して、蓄熱用熱媒体の逆流方向の循環を停止する。
制御部３０は、蓄熱用熱媒体の逆流方向の循環を開始した後の経過時間の記録をリセットする。
制御部３０は、この動作を繰り返す。
【００３４】
次に、図３を用いて、加熱動作を停止した後の次の加熱動作が逆流待機時間中に開始される場合における循環方向切替動作を説明する。
図３は、実施の形態１に係る蓄熱熱交加熱装置のタイムチャートを示す図である。
制御部３０は、流動センサ２０が給湯水の流動が有ること、つまり給湯状態にあることを検知すると、加熱用ポンプ１７を正回転方向に駆動して、蓄熱用熱媒体を正流方向へ循環させる。
制御部３０は、流動センサ２０が給湯水の流動が有ること、つまり給湯状態にあることを検知しなくなると、加熱用ポンプ１７の駆動を即座に停止して、蓄熱用熱媒体の正流方向の循環を停止する。
制御部３０は、蓄熱用熱媒体の正流方向の循環を停止した後、加熱用ポンプ１７の駆動を停止状態に維持する。
制御部３０は、蓄熱用熱媒体の正流方向の循環を停止した後の経過時間が逆流待機時間を経過する前に、流動センサ２０が給湯水の流動が有ること、つまり給湯状態にあることを検知した際は、加熱用ポンプ１７を正回転方向に駆動して、蓄熱用熱媒体を正流方向へ循環させる。
制御部３０は、蓄熱用熱媒体の正流方向の循環を停止した後の経過時間の記録をリセットする。
これ以降の動作は、図２と同様である。
【００３５】
次に、図４を用いて、次の加熱動作が逆流実行時間中に開始される場合における循環方向切替動作を説明する。
図４は、実施の形態１に係る蓄熱熱交加熱装置のタイムチャートを示す図である。
制御部３０は、流動センサ２０が給湯水の流動が有ること、つまり給湯状態にあることを検知すると、加熱用ポンプ１７を正回転方向に駆動して、蓄熱用熱媒体を正流方向へ循環させる。
制御部３０は、流動センサ２０が給湯水の流動が有ること、つまり給湯状態にあることを検知しなくなると、加熱用ポンプ１７の駆動を即座に停止して、蓄熱用熱媒体の正流方向の循環を停止する。
制御部３０は、蓄熱用熱媒体の正流方向の循環を停止した後、逆流待機時間（例えば、３０秒。）だけ加熱用ポンプ１７の駆動を停止状態に維持する。
制御部３０は、蓄熱用熱媒体の正流方向の循環を停止した後の経過時間が逆流待機時間を経過すると、加熱用ポンプ１７を逆回転方向に駆動して、蓄熱用熱媒体を逆流方向へ循環させる。
制御部３０は、蓄熱用熱媒体の正流方向の循環を停止した後の経過時間の記録をリセットする。
制御部３０は、蓄熱用熱媒体の逆流方向の循環を開始した後の経過時間が逆流実行時間を経過する前に、流動センサ２０が給湯水の流動が有ること、つまり給湯状態にあることを検知した際は、加熱用ポンプ１７を正回転方向に駆動して、蓄熱用熱媒体を正流方向へ循環させる。
制御部３０は、蓄熱用熱媒体の逆流方向の循環を開始した後の経過時間の記録をリセットする。
これ以降の動作は、図２と同様である。
【００３６】
以上のように、実施の形態１に係る蓄熱熱交加熱装置は、加熱動作の停止後に加熱用循環流路４や加熱用熱交換器５に残留して放熱する蓄熱用熱媒体を蓄熱槽３に戻すことが可能である。
そのため、実施の形態１に係る蓄熱熱交加熱装置は、放熱を減らすとともに余熱を有効活用することができ、省エネ性能を向上することが可能である。
また、実施の形態１に係る蓄熱熱交加熱装置は、蓄熱槽３に貯えられた熱を有効活用できるため、蓄熱槽３を少容量化することが可能である。
また、実施の形態１に係る蓄熱熱交加熱装置は、加熱用熱交換器５における蓄熱用熱媒体から給湯水への過熱を抑制できるため、スケール生成を抑制し、加熱用熱交換器５の性能低下や短寿命化を抑制することが可能である。
【００３７】
また、実施の形態１に係る蓄熱熱交加熱装置は、蓄熱用熱媒体の正流方向の循環を停止した後の経過時間が逆流待機時間を経過した後に、逆流方向の循環を開始する。
そのため、実施の形態１に係る蓄熱熱交加熱装置は、蓄熱用熱媒体からの放熱が少ない時間内、つまり逆流待機時間内に再び給湯状態になった場合に、逆流方向の循環が実行されずに加熱用循環流路４や加熱用熱交換器５の蓄熱用熱媒体が高温に維持されるため、再び加熱を開始した際に給湯水をより早く所望の温度に上昇することができ、快適性や利便性の低下を抑制することが可能である。
【００３８】
また、実施の形態１に係る蓄熱熱交加熱装置は、逆流実行時間の間だけ逆流方向の循環を実行する。
そのため、実施の形態１に係る蓄熱熱交加熱装置は、高温の蓄熱用熱媒体だけを確実に蓄熱槽３へ戻すことが可能である。
【００３９】
また、実施の形態１に係る蓄熱熱交加熱装置は、温度センサ１８で検知される蓄熱用熱媒体の温度が設定下限温度を下回った際は、逆流方向の循環を開始した後の経過時間が逆流実行時間を経過していない場合でも逆流方向の循環を停止する。
そのため、実施の形態１に係る蓄熱熱交加熱装置は、放熱が予定より大きくなった場合でも、低温の蓄熱用熱媒体が蓄熱槽３へ戻ることを抑制でき、高温の蓄熱用熱媒体だけをより確実に蓄熱槽３へ戻すことが可能である。
【００４０】
また、実施の形態１に係る蓄熱熱交加熱装置は、加熱用ポンプ１７の回転方向を変えるだけで正流方向の循環と逆流方向の循環とを切り替えることができる。
そのため、実施の形態１に係る蓄熱熱交加熱装置は、蓄熱用熱媒体を逆流するための構成を簡単かつ安価に実現することが可能である。
【００４１】
（変形例）
蓄熱熱交加熱装置１００は、ヒートポンプ１を熱源として用いているが、それに限られず、例えば、ボイラーや太陽熱温水器等、蓄熱用熱媒体を所望の温度まで加熱できるものであれば他の熱源を用いてもよい。
【００４２】
蓄熱熱交加熱装置１００は、蓄熱用ポンプ１３を蓄熱用循環流路２の復路２ｂの途中に有しているが、蓄熱用循環流路２の往路２ａの途中に有してもよい。
なお、その場合には、蓄熱用ポンプ１３は、耐熱性を必要とし、放熱が増加する。
蓄熱熱交加熱装置１００は、加熱用ポンプ１７を加熱用循環流路４の復路４ｂの途中に有しているが、加熱用循環流路４の往路４ａの途中に有してもよい。
なお、その場合には、加熱用ポンプ１７は、耐熱性を必要とし、放熱が増加する。
【００４３】
蓄熱熱交加熱装置１００は、バイパス流路１４を有するが、蓄熱用循環流路２の往路２ａの途中で分岐され、蓄熱用循環流路２の復路２ｂの途中に合流する空調用流路と、その空調用流路の途中に設けられた空調用負荷と、を有してもよい。
空調用負荷は、例えば、空調用のラジエータやファンコイルユニットや床暖房ユニット等である。
空調用負荷とヒートポンプ用熱交換器９との間の流路には、蓄熱用熱媒体が循環される。
制御部３０は、例えば、蓄熱動作を開始した直後等、蓄熱用熱媒体が蓄熱機能を発揮できる温度に加熱されていない時は、上記空調用流路に蓄熱用熱媒体を供給する。
なお、このように構成する場合は、空調用流路がバイパス流路１４として機能するため、蓄熱熱交加熱装置１００は、バイパス流路１４を有しなくてよい。
【００４４】
蓄熱熱交加熱装置１００は、給水源１９と給湯先２１における給湯水の圧力差で給湯水を加熱用熱交換器５へ供給するが、この圧力差が充分でない場合には、加熱用熱交換器５を経由する前の給湯用流路６又は経由した後の給湯用流路６にポンプを有してもよい。
【００４５】
蓄熱熱交加熱装置１００は、給湯水の流動を流動センサ２０で検知するが、給湯水の流量を検知する流量センサを有し、流量に基づいて給湯水の流動を検知してもよい。
【００４６】
蓄熱熱交加熱装置１００は、逆流方向の循環を停止する際に、逆流方向の循環を開始した後の経過時間が逆流実行時間を経過しているか否かと、温度センサ１８で検知される蓄熱用熱媒体の温度が設定下限温度を下回っているか否かの、両方を判別しているが、どちらか一方のみを判別してもよい。
逆流方向の循環を開始した後の経過時間が逆流実行時間を経過しているか否かのみを判別する場合には、蓄熱熱交加熱装置１００は、温度センサ１８を有しなくてもよい。
温度センサ１８で検知される蓄熱用熱媒体の温度が設定下限温度を下回っているか否かのみを判別する場合には、放熱の状態に応じて、高温の蓄熱用熱媒体だけを確実に蓄熱槽３へ戻すことが可能となる。
【００４７】
蓄熱熱交加熱装置１００は、逆流方向の循環を停止する際に、逆流方向の循環を開始した後の経過時間が逆流実行時間を経過しているか否かを判別しているが、逆流する蓄熱用熱媒体の総流量を判別してもよい（なお、判別の基準となる総流量は、本発明における「所定総流量」に相当する。）。
総流量は、逆流する蓄熱用熱媒体の流量を流量センサで検知し、検知された流量を積算することで求められる。
また、流量センサが設けられずに、加熱用ポンプ１７の回転数から推定された流量を用いて総流量が積算されてもよい。
このような場合には、蓄熱熱交加熱装置１００を低コスト化することができる。
【００４８】
蓄熱熱交加熱装置１００は、蓄熱用熱媒体の正流方向の循環を停止した後の経過時間が逆流待機時間を経過した後に、逆流方向の循環を開始しているが、加熱動作を停止した直後に逆流方向の循環を開始してもよい。
短い時間間隔で再び給湯状態になった際の快適性や利便性は低下するが、その他の効果は同様に発揮される。
【００４９】
蓄熱熱交加熱装置１００は、蓄熱槽３の上部を本発明における「高温側」、蓄熱槽３の下部を本発明における「低温側」としているが、「高温側」及び「低温側」は、蓄熱槽３の上部及び下部に限定されない。
蓄熱動作において、蓄熱用熱媒体が蓄熱槽３へ流入する側が「高温側」、蓄熱用熱媒体が蓄熱槽３から流出する側が「低温側」であればよい。
【００５０】
実施の形態２．
以下に、実施の形態２に係る蓄熱熱交加熱装置について説明する。
なお、構成や動作や効果等について、実施の形態１と重複する説明は、適宜省略している。
まず、実施の形態２に係る蓄熱熱交加熱装置の構成について、図５を用いて説明する。
図５は、実施の形態２に係る蓄熱熱交加熱装置の構成を示す図である。
蓄熱熱交加熱装置２００は、実施の形態１に示した蓄熱熱交加熱装置１００に対して加熱用循環流路４のみが相違するため、加熱用循環流路４についてのみ説明する。
【００５１】
蓄熱槽３の上部は、加熱用循環流路４に接続される。
加熱用循環流路４では、蓄熱用熱媒体が循環する。
加熱用循環流路４には、蓄熱用熱媒体を循環させる加熱用ポンプ１７と、切替配管２３と、切替弁２４と、蓄熱槽３の上部と加熱用熱交換器５の間の蓄熱用熱媒体の温度を検知する温度センサ１８と、が設けられる。
加熱用循環流路４は、蓄熱槽３の下部に接続される。
【００５２】
加熱用ポンプ１７は、回転方向を逆転可能な双方向回転ポンプではなく、回転方向を逆転不能な一方向回転ポンプである。
切替弁２４は、４方弁である。
切替弁２４は、切替配管２３から加熱用循環流路４への蓄熱用熱媒体の流出方向を切り替えるものであれば、４方弁に限定されない。
【００５３】
次に、実施の形態２に係る蓄熱熱交加熱装置の動作について説明する。
蓄熱熱交加熱装置２００は、実施の形態１に示した蓄熱熱交加熱装置１００に対して循環方向切替動作のみが相違するため、循環方向切替動作のみを説明する。
【００５４】
（循環方向切替動作）
実施の形態２に係る蓄熱熱交加熱装置における循環方向切替動作について説明する。
蓄熱熱交加熱装置２００は、加熱用ポンプ１７に回転方向を逆転不能な一方向回転ポンプを採用し、切替弁２４の開方向を制御することで、加熱用循環流路４の蓄熱用熱媒体を、正流方向と逆流方向とに循環させることが可能である。
切替弁２４の開方向が制御されることで、切替配管２３から加熱用循環流路４への蓄熱用熱媒体の流出方向が変化され、加熱用循環流路４における蓄熱用熱媒体の循環方向が正流方向と逆流方向とに切り替えられる。
タイムチャート等の他の動作は、実施の形態１に示した蓄熱熱交加熱装置１００と同様である。
【００５５】
以上のように、蓄熱熱交加熱装置２００は、加熱用ポンプ１７の回転方向を維持したまま加熱用循環流路４における蓄熱用熱媒体の循環方向を切り替えることが可能であるため、切替時に加熱用ポンプ１７の回転効率を低下させずに循環方向切替動作を行うことができる（実施の形態１に示した蓄熱熱交加熱装置１００のように、加熱用ポンプ１７が双方向回転ポンプである場合、一般的に逆回転した際の回転効率は悪く、同じ回転数でも正方向への流量に比べて逆方向への流量は低くなる。）。
そのため、実施の形態２に係る蓄熱熱交加熱装置は、逆流実行時間を短く設定することが可能であり、また、省エネ性能を向上することが可能である。
【００５６】
実施の形態３．
以下に、実施の形態３に係る蓄熱熱交加熱装置について説明する。
なお、構成や動作や効果等について、実施の形態１と重複する説明は、適宜省略している。
また、主に、実施の形態３に係る蓄熱熱交加熱装置を単独で用いる場合を説明しているが、実施の形態１に係る蓄熱熱交加熱装置や実施の形態２に係る蓄熱熱交加熱装置と実施の形態３に係る蓄熱熱交加熱装置とを併用することも可能である。
まず、実施の形態３に係る蓄熱熱交加熱装置の構成について、図６を用いて説明する。
図６は、実施の形態３に係る蓄熱熱交加熱装置の構成を示す図である。
蓄熱熱交加熱装置３００は、ヒートポンプ１と、蓄熱用循環流路２と、蓄熱槽３と、加熱用循環流路４と、加熱用熱交換器５と、追焚用循環流路２５と、浴槽２６と、を有する。
【００５７】
加熱用熱交換器５は、加熱用循環流路４と追焚用循環流路２５とに接続される。
追焚用循環流路２５には、浴槽水が供給される（なお、浴槽水は、本発明における「加熱対象」に相当する。）。
追焚用循環流路２５には、浴槽２６と加熱用熱交換器５の間の浴槽水の流動の有無を検知する流動センサ２０と、浴槽水を循環させる循環用ポンプ２７と、温度センサ２２と、温度センサ２２ａと、が設けられる。
流動センサ２０は、浴槽水の流動の有無で接点がｏｎ／ｏｆｆされるセンサである。
温度センサ２２は、追焚用循環流路２５の復路２５ｂの途中に設けられ、加熱用熱交換器５で加熱された後の浴槽水の温度を検知する。
また、温度センサ２２ａは、追焚用循環流路２５の往路２５ａの途中や浴槽２６内に設けられ、加熱用熱交換器５で加熱される前の浴槽水の温度を検知する。
その他の構成は、実施の形態１に示した蓄熱熱交加熱装置１００と同様である。
【００５８】
次に、実施の形態３に係る蓄熱熱交加熱装置の動作について説明する。
蓄熱熱交加熱装置３００は、実施の形態１に示した蓄熱熱交加熱装置１００に対して加熱動作と循環方向切替動作のみが相違するため、加熱動作と循環方向切替動作についてのみ説明する。
【００５９】
（加熱動作）
実施の形態３に係る蓄熱熱交加熱装置における加熱動作について説明する。
追焚状態では、蓄熱槽３の上部から加熱用循環流路４の往路４ａを通って蓄熱用熱媒体が加熱用熱交換器５に供給される。
それに伴って、加熱用熱交換器５から加熱用循環流路４の復路４ｂを通って蓄熱槽３の下部に蓄熱用熱媒体が供給される。
また、追焚状態では、加熱用熱交換器５において、加熱用循環流路４の蓄熱用熱媒体と追焚用循環流路２５の浴槽水とが熱交換される。
この時、加熱用熱交換器５から浴槽２６へ供給される浴槽水と同量の浴槽水が浴槽２６から加熱用熱交換器５に供給される。
浴槽水が追焚用循環流路２５を循環するための動力源は、浴槽２６と加熱用熱交換器５の間の追焚用循環流路２５の往路２５ａに設けられた循環用ポンプ２７である。
【００６０】
追焚状態にあるか否かが、流動センサ２０によって浴槽水の流動の有無が検知され、且つ、温度センサ２２ａによって浴槽水の温度が浴槽２６内の浴槽水の設定温度（例えば、４０℃。）より低いか否かが検知されることによって判別される。
この判別は、予め設定された時間間隔（例えば、１０分。）で、循環用ポンプ２７を所定時間だけ駆動した状態で行われる。
流動を検知し且つ浴槽水の温度が低い場合には、追焚のための加熱動作が実行され、流動を検知しない、或いは浴槽水の温度が低くない場合には、追焚のための加熱動作が実行されない。
ここでいう加熱動作は、加熱用ポンプ１７の運転と同義である。
つまり、加熱動作を行う時は、加熱用ポンプ１７が駆動され、加熱動作を行わない時は、加熱用ポンプ１７が駆動されない。
【００６１】
流動が検知されない場合には、浴槽２６内の浴槽水が充分な量でないことが判別される。
つまり、蓄熱熱交加熱装置３００と実施の形態１に示した蓄熱熱交加熱装置１００とが併用される場合には、制御部３０は、流動センサ２０による浴槽水の流動の有無の検知結果に応じて、追焚動作を自動で給湯動作に切り替えることができ、浴槽２６内の浴槽水の温度に加えて水位も制御することが可能である。
【００６２】
次に、加熱動作における温度制御について説明する。
実施の形態１に示した蓄熱熱交加熱装置１００は、給湯先２１における蛇口の開度に応じて給湯用流路６の給湯水の流量が決まるため、加熱用熱交器５に供給される給湯水の流量を制御できない。
また、加熱用熱交換器５に供給される給湯水の温度は、大きく変化しない。
そのため、実施の形態１に示した蓄熱熱交加熱装置１００は、加熱用循環流路４の蓄熱用熱媒体の流量を変化させて給湯水の温度が所望の温度になるように制御する。
一方、蓄熱熱交加熱装置３００は、循環用ポンプ２７の回転数を変化させることで、追焚用循環流路２５の浴槽水の流量を制御することができる。
また、追焚が進むに連れて浴槽２６内の浴槽水の温度が徐々に上昇するため、加熱用熱交換器５に供給される浴槽水の温度は、大きく変化する。
そのため、蓄熱熱交加熱装置３００は、実施の形態１に示した蓄熱熱交加熱装置１００と異なる制御を行う。
【００６３】
加熱用循環流路４の蓄熱用熱媒体の流量を決定する加熱用ポンプ１７の回転数が、想定される必要熱量に応じて固定される。
制御部３０は、追焚用循環流路２５の浴槽水の流量を決定する循環用ポンプ２７の回転数を変化させて、温度センサ２２で検知される浴槽水の温度が所望の温度（例えば、浴槽２６内の浴槽水の設定温度が４０℃であれば４５℃。）になるように制御する。
制御部３０は、温度センサ２２ａで検知される浴槽水の温度が、浴槽２６内の浴槽水の設定温度（例えば、４０℃。）に達した時に、加熱動作を停止する。
なお、このように制御した場合には、浴槽２６内の浴槽水の温度が徐々に上昇するにつれて、温度センサ２２で検知される浴槽水の温度が一定に維持されながら温度センサ２２ａで検知される浴槽水の温度が上がることになるため、追焚用循環流路２５を循環する浴槽水の流量が徐々に増加することになる。
また、加熱用ポンプ１７の回転数を決定するための必要熱量は、循環用ポンプ２７が流すことができる浴槽水の最大流量と加熱動作を停止する際の加熱用熱交換器５を経由する前の浴槽水の温度（つまり、温度センサ２２ａで検知される浴槽水の温度）と加熱用熱交換器５を経由した後の浴槽水の温度（つまり、温度センサ２２で検知される浴槽水の温度）の差（例えば、上記の例であれば５℃。）とから算出することができる。
【００６４】
（循環方向切替動作）
次に、実施の形態３に係る蓄熱熱交加熱装置における循環方向切替動作について説明する。
蓄熱熱交加熱装置３００は、加熱用ポンプ１７に回転方向を逆転可能な双方向回転ポンプを採用しているため、加熱用循環流路４の蓄熱用熱媒体を、正流方向と逆流方向とに循環させることが可能である。
加熱用ポンプ１７は、浴槽水を加熱する際は、蓄熱用熱媒体を正流方向に循環させる。
加熱用ポンプ１７は、浴槽水の加熱を停止した際は、蓄熱用熱媒体を逆流方向に循環させて、加熱用循環流路４や加熱用熱交換器５に滞留している高温の蓄熱用媒体を蓄熱槽３に戻す。
制御部３０は、逆流方向の循環を逆流実行時間だけ実行する。
制御部３０は、逆流方向の循環を開始した後に、温度センサ１８で検知される蓄熱用熱媒体の温度が予め設定された設定下限温度（例えば、６０℃。）を下回った際は、逆流方向の循環を開始した後の経過時間が逆流実行時間を経過していない場合でも、逆流方向の循環を停止する。
なお、蓄熱熱交加熱装置３００は、給湯と異なり、加熱動作を停止した直後に次の加熱動作を開始した際に浴槽水をより早く所望の温度に上昇する必要性がないため、逆流待機時間が設けられなくてよい。
【００６５】
図７を用いて、加熱動作を停止した後の次の加熱動作が逆流実行時間を経過した後に開始される場合における循環方向切替動作を説明する。
図７は、実施の形態３に係る蓄熱熱交加熱装置のタイムチャートを示す図である。
制御部３０は、流動センサ２０が浴槽水の流動が有ることを検知し、且つ、温度センサ２２ａが浴槽水の温度が所定温度より低いことを検知する、つまり追焚状態にあることを検知すると、加熱用ポンプ１７を正回転方向に駆動して、蓄熱用熱媒体を正流方向へ循環させる。
制御部３０は、流動センサ２０が浴槽水の流動が有ること又は温度センサ２２ａが浴槽水の温度が所定温度より低いことを検知しなくなる、つまり追焚状態にあることを検知しなくなると、加熱用ポンプ１７の駆動を即座に停止して、蓄熱用熱媒体の正流方向の循環を停止する。
制御部３０は、加熱用ポンプ１７を逆回転方向に駆動して、蓄熱用熱媒体を逆流方向へ循環させる。
制御部３０は、蓄熱用熱媒体の逆流方向の循環を開始した後、逆流実行時間（例えば、１０秒。）だけ逆流方向の循環を継続する。
制御部３０は、蓄熱用熱媒体の逆流方向の循環を開始した後の経過時間が逆流実行時間を経過すると、加熱用ポンプ１７の駆動を停止して、蓄熱用熱媒体の逆流方向の循環を停止する。
制御部３０は、蓄熱用熱媒体の逆流方向の循環を開始した後の経過時間の記録をリセットする。
【００６６】
次に、図８を用いて、次の加熱動作が逆流実行時間中に開始される場合における循環方向の切替動作を説明する。
図８は、実施の形態３に係る蓄熱熱交加熱装置のタイムチャートを示す図である。
制御部３０は、流動センサ２０が浴槽水の流動が有ることを検知し、且つ、温度センサ２２ａが浴槽水の温度が所定温度より低いことを検知する、つまり追焚状態にあることを検知すると、加熱用ポンプ１７を正回転方向に駆動して、蓄熱用熱媒体を正流方向へ循環させる。
制御部３０は、流動センサ２０が浴槽水の流動が有ること又は温度センサ２２ａが浴槽水の温度が所定温度より低いことを検知しなくなる、つまり追焚状態にあることを検知しなくなると、加熱用ポンプ１７の駆動を即座に停止して、蓄熱用熱媒体の正流方向の循環を停止する。
制御部３０は、加熱用ポンプ１７を逆回転方向に駆動して、蓄熱用熱媒体を逆流方向へ循環させる。
制御部３０は、蓄熱用熱媒体の逆流方向の循環を開始した後の経過時間が逆流実行時間を経過する前に、流動センサ２０が浴槽水の流動が有ることを検知し、且つ、温度センサ２２ａが浴槽水の温度が所定温度より低いことを検知する、つまり追焚状態にあることを検知した際は、加熱用ポンプ１７を正回転方向に駆動して、蓄熱用熱媒体を正流方向へ循環させる。
制御部３０は、蓄熱用熱媒体の逆流方向の循環を開始した後の経過時間の記録をリセットする。
これ以降の動作は、図７と同様である。
【００６７】
（変形例）
蓄熱熱交加熱装置３００の加熱用循環流路４は、実施の形態２に示した蓄熱熱交加熱装置２００の加熱用循環流路４に置き換えられてもよい。
【００６８】
実施の形態１に示した蓄熱熱交加熱装置１００や実施の形態２に示した蓄熱熱交加熱装置２００と蓄熱熱交加熱装置３００とが併用される場合には、加熱用ポンプ１７が共用されてもよい。
その場合、蓄熱用熱媒体を給湯用の加熱用熱交換器５に供給するか、追焚用の加熱用熱交換器５に供給するか、それとも両方に供給するかの切替は、開方向を切り替える切替弁が設けられることで実現される。
また、その際、実施の形態１に示した蓄熱熱交加熱装置１００や実施の形態２に示した蓄熱熱交加熱装置２００における逆流方向への循環と蓄熱熱交加熱装置３００における逆流方向への循環とが個別に制御されるとよい。
このように構成した場合には、加熱用ポンプ１７が１台で良く、低コスト化及び省スペース化という効果が発揮される。
【００６９】
以上、実施の形態１乃至実施の形態３に係る蓄熱熱交加熱装置について説明したが、本発明は各実施の形態の説明に限定されない。
例えば、各実施の形態や各変形例が組み合わされてもよい。
【００７０】
また、実施の形態１に係る蓄熱熱交加熱装置と実施の形態２に係る蓄熱熱交加熱装置は、蓄熱槽３に蓄熱用熱媒体が貯えられ、加熱用熱交換器５で蓄熱用熱媒体と給湯水が熱交換して給湯水が加熱されるが、従来の蓄熱熱交加熱装置のように、給湯水が蓄熱用熱媒体を兼ね、給湯水が蓄熱槽３から給湯先２１に供給され、給水源１９から蓄熱槽３に給湯水が供給される構成でもよい。
また、そのような蓄熱熱交加熱装置は、実施の形態１に係る蓄熱熱交加熱装置や実施の形態２に係る蓄熱熱交加熱装置と併用されてもよく、また、実施の形態３に係る蓄熱熱交加熱装置と併用されてもよい。
いずれの場合でも、同様の効果が発揮される。
【符号の説明】
【００７１】
１  ヒートポンプ、２  蓄熱用循環流路、２ａ  往路、２ｂ  復路、３  蓄熱槽、４  加熱用循環流路、４ａ  往路、４ｂ  復路、５  加熱用熱交換器、６  給湯用流路、７  ヒートポンプ用循環流路、８  圧縮機、９  ヒートポンプ用熱交換器、１０  膨張弁、１１  外気熱交、１２  ファン、１３  蓄熱用ポンプ、１４  バイパス流路、１５  切替弁、１６  温度センサ、１７  加熱用ポンプ、１８  温度センサ、１９  給水源、２０  流動センサ、２１  給湯先、２２  温度センサ、２２ａ  温度センサ、２３  切替配管、２４  切替弁、２５  追焚用循環流路、２５ａ  往路、２５ｂ  復路、２６  浴槽、２７  循環用ポンプ、３０  制御部、１００  蓄熱熱交加熱装置、２００  蓄熱熱交加熱装置、３００  蓄熱熱交加熱装置。
【図１】
2013186822.tif 000003
【図２】
2013186822.tif 000004
【図３】
2013186822.tif 000005
【図４】
2013186822.tif 000006
【図５】
2013186822.tif 000007
【図６】
2013186822.tif 000008
【図７】
2013186822.tif 000009
【図８】
2013186822.tif 000010
【国際調査報告】
2013186822.tif 000011
2013186822.tif 000012
2013186822.tif 000013
2013186822.tif 000014